(57)【要約】【課題】ネットワークコントローラを交換しても、交換前のＭＡＣアドレスを使用できるようにする。【解決手段】ネットワークへの接続機能を有する本体部１１と、通信ネットワーク上でＬＡＮカード１を一意に識別するためのＭＡＣアドレスが記憶されたメモリ１２と、メモリ１２が実装された実装板１３と、実装板１３を本体部１１に脱着可能なコネクタ１４とを備える。【選択図】図１
2011055400.tif 000002
【特許請求の範囲】
【請求項１】
通信ネットワークに接続するためのネットワークコントローラであって、
前記通信ネットワークへの接続機能を有する本体部と、
前記通信ネットワーク上で前記ネットワークコントローラを一意に識別するためのＭＡＣアドレスが記憶されたメモリと、
前記メモリが実装された実装板と、
前記実装板を前記本体部に脱着可能なコネクタと、を備えたネットワークコントローラ。
【請求項２】
請求項１に記載のネットワークコントローラ間でのＭＡＣアドレス移行方法であって、
第１のネットワークコントローラから第２のネットワークコントローラへＭＡＣアドレスを移行する場合に、
第１のネットワークコントローラから、前記コネクタを介して接続されている前記実装板を取り外す工程と、
取り外した前記実装板を第２のネットワークコントローラに前記コネクタを介して接続する工程と、を含むＭＡＣアドレス移行方法。
【発明の詳細な説明】
【技術分野】
【０００１】
本発明は、ネットワークコントローラ、及びＭＡＣアドレス移行方法に関する。
【背景技術】
【０００２】
ネットワーク上で各々のノードを識別するための物理アドレスとして、ＭＡＣアドレス（Media Access Control address）が用いられている。ＬＡＮ（Local Area Network）カードなどのネットワークコントローラには、そのネットワークコントローラ（ノード）を識別するためのＭＡＣアドレスがＬＡＮカード上に実装されているＥＥＰＲＯＭ（Electrically Erasable and Programmable Read Only Memory）などの記憶メモリに記憶されておりこの記憶メモリは取り外しができない。このように、ＭＡＣアドレスはＬＡＮカードに直接登録されており、他のＬＡＮカードに同じＭＡＣアドレスを移すことはできない。
【０００３】
このため、ネットワーク上の装置に実装されているＬＡＮカードを新しいＬＡＮカードに交換した場合、交換前のＬＡＮカードに登録されているＭＡＣアドレスを交換した他のＬＡＮカードで使用することができない。このようにＬＡＮカード間でＭＡＣアドレスを引き継ぐことができないので、ＭＡＣアドレスの資源が浪費されることになる。また、ネットワーク上の装置の識別や制御、セキュリティのためのフィルタリングなどのためにソフトウェアがＭＡＣアドレスを使用している場合も多く、その場合、ＭＡＣアドレスが変更されると、それらのソフトウェアの設定変更も必要になる。
【０００４】
特許文献１には、ＬＡＮカードが、ネットワーク装置本体のスロットに挿入されると、ネットワーク装置に設けられたＭＡＣアドレス記憶部から、挿入されたスロットＩＤに対応したＭＡＣアドレスが取得され、取得されたＭＡＣアドレスがＬＡＮカードに割り当てられる、というＭＡＣアドレス割り当て方法が記載されている。この方法によれば、ＬＡＮカード間でのＭＡＣアドレスの承継が可能である。
【先行技術文献】
【特許文献】
【０００５】
【特許文献１】特開２００７−２００５０号公報
【発明の概要】
【発明が解決しようとする課題】
【０００６】
しかし、特許文献１に記載された方法では、ネットワーク装置本体に、ＭＡＣアドレス記憶部や、スロットＩＤと対応したＭＡＣアドレスをＬＡＮカードに割り当てる制御部を設けなければならない。このように、ネットワーク装置本体に専用機能を設けなければならないため汎用性に欠ける。
【０００７】
本発明の目的は、ネットワークコントローラを交換しても、交換前のＭＡＣアドレスを使用できるようにすることである。
【課題を解決するための手段】
【０００８】
本発明に係るネットワークコントローラは、通信ネットワークに接続するためのネットワークコントローラであって、通信ネットワークへの接続機能を有する本体部と、通信ネットワーク上でネットワークコントローラを一意に識別するためのＭＡＣアドレスが記憶されたメモリと、メモリが実装された実装板と、実装板を本体部に脱着可能なコネクタと、を備えている。
【発明の効果】
【０００９】
本発明によれば、ネットワークコントローラを交換しても、交換前のＭＡＣアドレスを使用できるようにすることができる。このため、ＭＡＣアドレスの変更によるソフトウェアの設定変更を行う必要がない。また、ネットワーク装置側にＭＡＣアドレスを割り当てるための機構を設ける必要がない。このため、ネットワーク装置側に制約がなく汎用性がある。
【図面の簡単な説明】
【００１０】
【図１】本発明によるＬＡＮカードの概略構成を示す図である。
【図２】本発明による、ＬＡＮカード間でのＭＡＣアドレスの移行方法を説明する図である。
【発明を実施するための形態】
【００１１】
次に、本発明を実施するための最良の形態について、図面を参照して詳細に説明する。
図１は、本発明の実施形態によるＬＡＮカード（ネットワークコントローラ）１の概略構成を示す図である。図に示すように、ＬＡＮカード１は、本体部１１、メモリ１２、実装板１３、コネクタ１４、を備えている。ＬＡＮカード１は、パソコンやプリンタなどを通信ネットワークに接続するために、パソコンやプリンタなどに設けられたスロットに挿入して用いる拡張カードである。
【００１２】
本体部１１には、パソコンやプリンタなどを通信ネットワークに接続するための機能が実装されている。メモリ１２は例えばＥＥＰＲＯＭであり、ＭＡＣアドレスが記憶されている。実装板１３にはメモリ１２が実装されている。コネクタ１４は、実装板１３と本体部１１を接続しており、本体部１１と実装板１３はコネクタ１４を介して脱着が可能である。
【００１３】
ＬＡＮカード１は、メモリ１２に記憶されたＭＡＣアドレスによって通信ネットワーク上で一意に識別される。本体部１１は、実装板１３とコネクタ１４を介して、メモリ１２に記憶されたＭＡＣアドレスを取得することができる。
【００１４】
次に、本実施形態による、ＬＡＮカード１間でのＭＡＣアドレスの移行方法について、ＬＡＮカード１ａからＬＡＮカード１ｂへＭＡＣアドレスを移行する場合を例に、図２を用いて説明する。まず、図２（Ａ）に示すように、ＬＡＮカード１ａからコネクタ１４を介して本体部１１と接続されている実装板１３を取り外す。
【００１５】
次に、図２（Ｂ）に示すように、取り外した実装板１３をＬＡＮカード１ｂにコネクタ１４を介して接続する。
【００１６】
このように、本実施形態によれば、ＭＡＣアドレスが記憶されたメモリ１２をＬＡＮカード１の本体部１１から取り外すことができるようにしたので、故障などによりＬＡＮカード１を交換する場合にも、交換後のＬＡＮカード１で交換前のＭＡＣアドレスを使用することができる。このため、ＭＡＣアドレスの変更によるソフトウェアの設定変更を行う必要がない。また、ＬＡＮカード１を装着するパソコンやプリンタ等の機器には、ＭＡＣアドレスを割り当てるための機構を設ける必要がない。
【００１７】
なお、メモリ１２を実装した実装板１３としては、例えばメモリカードやＵＳＢ（Universal Serial Bus）メモリを用いることができる。この場合、本体部１１にはメモリカードやＵＳＢメモリ用のコネクタが設けられる。
【符号の説明】
【００１８】
１  ＬＡＮカード、１１  本体部、１２  メモリ、１３  実装板、１４  コネクタ
【図１】
2011055400.tif 000003
【図２】
2011055400.tif 000004